(57)【特許請求の範囲】
【請求項１】
積み重ね容易な、自立容器であって、
（ａ）２つの開口端を有している筒状構造体と、前記筒状構造体の一端を囲んでいる底パネルとを含んでいる半囲い容器本体であって、前記底パネルの反対側の前記筒状構造体の他端が、実質的に連続で外方に延伸した周縁フランジを形成しており、前記筒状構造体は、２つの対向した側壁と、前記側壁の間の２つの対向した端壁とを含んでおり、前記側壁と前記端壁とで前記筒状構造体を形成し、前記端壁の各々は、中央部と、一対の対向した支持フラップとを含んでおり、前記対向した支持フラップは、前記中央部に蝶番のように接続され、前記中央部に対して実質的に平面な位置と、前記中央部に対して実質的に垂直な位置との間で可動である、半囲い容器本体；
（ｂ）前記半囲い容器本体を閉じた容器に選択的に切り替えるための蓋；及び
（ｃ）前記蓋が前記容器本体を封じるための閉鎖手段；
を具備している積み重ね容易な、自立容器。
【請求項２】
前記蓋は、前記容器本体に取り付けられている請求項１に記載の積み重ね容易な、自立容器。
【請求項３】
前記支持フラップが垂直なポジションに固定する請求項１又は２に記載の積み重ね容易な自立容器。
【請求項４】
前記蓋が前記フランジと一体的に形成されている請求項１乃至３のいずれか１項に記載の積み重ね容易な、自立容器。
【請求項５】
前記容器本体が垂直な位置で前記支持フラップをしっかり固定するために固定するタブを含む請求項１乃至４のいずれか１項に記載の積み重ね容易な、自立容器。
【請求項６】
前記側壁、端壁、及び底パネルは、一連のシート状の材料から一体的に形成されている請求項１乃至５のいずれか１項に記載の積み重ね容易な、自立容器。
【請求項７】
前記側壁の各々は、前記底パネルと実質的に平行な方向に延びているガセットを含んでおり、前記側壁と前記端壁とが折り曲げられない配向の間実質的に自立であるが、前記蓋と底パネルとの垂線方向に前記容器が折り畳み可能であるように、前記側壁と前記端壁とが互いに内方に折り畳み可能である請求項１乃至６のいずれか１項に記載の積み重ね容易な、自立容器。
【請求項８】
前記支持フラップは、前記中央部と共に一体的に形成されている請求項１乃至７のいずれか１項に記載の積み重ね容易な、自立容器。
【請求項９】
前記筒状構造体が実質的に長方形の横断面形状を有している請求項１乃至８のいずれか１項に記載の積み重ね容易な、自立容器。
【請求項１０】
前記蓋が一体の蝶番によって前記フランジに接合されている請求項１乃至９のいずれか１項に記載の積み重ね容易な、自立容器。
【発明の詳細な説明】
【０００１】
発明の技術分野
本発明は、貯蔵容器、特に腐敗しやすい材料を含む種々の品目の保持、並びに保護での使用に適している貯蔵容器に関している。さらに、本発明は、広範囲の使用中に条件において改善された安定性を有しているこのような貯蔵容器に関している。
【０００２】
発明の背景
消費者の興味に応えて、重合体の材料から作成され、そして多種多様な貯蔵使用に適している多くの比較的高価でない貯蔵容器は、開発されている。このような容器は、柔軟な貯蔵袋と、丈夫で、再利用可能で、積み重ね容易な貯蔵容器との両方の利点を結びつけるように試みられている。これらの容器は、容易な詰め込みの為の形状を維持する十分な構造的完全性を既に示している高価でない材料から作成されている。特に、空であるとき貯蔵の容易さのために折りたたみ可能であって、使用のために準備ができているとき容易に組み立てられるこのような容器は、有用である。この種類の代表的な貯蔵容器は、共通に譲渡され、同時係属の米国特許出願第０８/８５３,７７３号と第０８/８５４,２４６号とで開示されており、これらの開示は、ここで参照され組み込まれている。
【０００３】
後の多様な貯蔵容器が、より堅い構造の容器に対して多くの利点を提供するが、自立するのに十分な剛性を持っている材料を利用する必要性は、コストと同様に、使用され得る材料の範囲の薄さと柔軟性とを制限する。
【０００４】
したがって、折りたたみ可能で、そして積み重ね容易である、それでもなおより薄いいっそう柔軟な、そして高価でない資材から作られ得る貯蔵容器を供給することは、望ましいであろう。
【０００５】
発明の概要
本発明は、積み重ね容易な、自立容器であって、
（ａ）  ２つの開口端を有している筒状構造体と、前記容器本体の一端を囲んでいる底パネルとを含んでいる半囲い容器本体であって、前記底パネルの反対側の前記筒状構造体の他端が、実質的に連続で外方に延伸した周縁フランジを形成しており、前記筒状構造体は、２つの対向した側壁と、前記側壁の間の２つの対向した端壁とを含んでおり、前記端壁の各々は、中央部と、対向した支持フラップとを含んでおり、前記対向した支持フラップは、前記中央部に蝶番のように接続され、前記中央部に対して実質的に平面な位置と、前記中央部に対して実質的に垂直な位置との間で可動である
半囲い容器本体；
（ｂ）前記半囲い容器本体を閉じた容器に選択的に切り替えるための蓋；及び
（ｃ）前記蓋が前記容器本体を封じるための閉鎖手段；
を具備している積み重ね容易な、自立容器を提供する。
【０００６】
閉鎖手段は、好ましくは機械的連結密閉部を含んでおり、支持フラップは、好ましくは中央部と一体的に形成され、そして好ましくは垂直な位置に固定する。
【０００７】
発明の詳細な説明
図１は、本発明に従った貯蔵容器１０の現在好ましい実施の形態を示している。図１中に示されている実施の形態において、貯蔵容器１０は、１つのシート材料から好ましくは一体的に形成されている容器本体２０と、好ましくは前記容器本体２０と一体的であるか、若しくは前記容器本体にヒンジ線４５で少なくとも蝶番的に取り付けられている蓋４０と、を含んでいる。貯蔵容器１０はまた、閉鎖手段３０を含んでおり、閉鎖手段３０は、完全に閉じられた容器、即ち図１中に示されているような容器を形成するように、蓋４０及び容器本体２０の周縁部を密閉するために、縁２８に隣接して位置されている。閉鎖手段３０は、蓋４０の縁部分と容器本体２０の縁フランジ部２５とを備えている。以下に記述されるであろうように閉鎖手段３０は、選択的に、開放可能、密閉可能、並びに再密閉可能である。図２で示されるヒンジ線４５は好ましくは、単一の一体の蝶番を備えており、刻み込まれたミシン目（perforations）による弱化線、若しくは容器本体から選択的に蓋を分離することを認めるような同様なものとして、提供され得る。
【０００８】
図１で描写される望ましい構成において、閉鎖手段３０は、ヒンジ線４５での蝶番部分以外の縁２８の全ての部分に沿って、配置されている。しかしながら、いくつかの状況の下で、より大きい、ある程度の取り囲みにより形成された閉鎖手段（例えば、ヒンジ線の欠如において開口を完全に取り囲む閉鎖手段）は、適切な閉鎖の完全性を提供し得る。フランジ２５は、容器本体２０と一体的に形成されるかあるいは、容器本体に接合される別個の材料の部材として提供され得る。別個の、好ましくはいっそう堅い材料の部材として提供されるとき、容器本体の材料は、容器本体にフランジを接合するための適した接合点を形成するように、角をとられた状態で、自身の上部縁（開口を規定している）で、少なくとも小さい周縁フランジを形成されることが、現在好ましい。
【０００９】
図１に示されるように、適当な閉鎖手段３０は、フランジ２５と蓋４０との合致位置上の１対の部材の、少なくとも１つの合致若しくは連結しているビード３２及び溝３４を含んでいる機械的連結密閉部を備えている。現在好ましい実施の形態において、ビード３２は、前記フランジの３つの自由端に沿って（言い換えると、前記蝶番で隠れている容器の後の部分に必ずしも沿っていない）フランジ２５に一体的に形成され、上方に突出していると同時に、溝３４は、ビード３２を受け入れるように、底が開いた補足的な形状を有している。閉鎖手段３０はまた、機械的滑り部材、即ちスライダー３６を含んでおり、スライダー３６は、１つ以上の部材が、離れることを認めるような変形をおこすことなく前記容器への取り付けを維持するように、前記ビードと溝とを閉じるようにかみ合わせる。スライダー３６は、ビードと溝とが十分な閉鎖密閉を果たすように、互いに完全にかみ合わされたときのビード及び溝上を自由にスライドし得るような、寸法並びに形状を有している。結果として、スライダー３６は、容器が開かれていた後に、一側から他側に容器の周縁にそって引っ張られたとき、ビードと溝とを密閉するように機能する。接着ベース又はスライダー機構の無い単純な機械的システムのような閉鎖システムの他の型は、採用され得る。
【００１０】
貯蔵容器１０は、コンテナ本体中に貯蔵される多種多様な材料、及び／又は物品（objects）の貯蔵並びに保護するのに適している。図２は、開いた状態の貯蔵容器１０を示しており、ここで、閉鎖手段３０は、縁２８が貯蔵容器１０の本体部の内部の中に材料及び／又は物品を収容するために開かれるように、離されている。図２中において、一般的な複数の固体物品９９は、貯蔵容器１０の中に示されている。
【００１１】
蓋４０は好ましくは、一体的な構造であり、中央蓋パネル４２並びに蓋フレーム４４を備えており、これらのどちらも、望むならば各種の部材で形成され得る。多数の複合した部材の容器を組み立てる能力は、容器本体２０のための材料の仕立て（tailoring)と関係なく、蓋パネルの為の透明な重合体パネル、若しくはフランジ並びに蓋フレームの為のより堅い弾性材料のような、多様な材料の使用を認める。最も良く示されている図１及び２のように、中央蓋パネル４２は、平鍋形状（pan-shaped）の蓋を形成するように、好ましくは下方に伸びており、拡張された密閉能力のために、容器本体の上部中の補足的なくぼみ又は棚中にフィットすることにより、差込密閉（plug seal）を形成する。本発明に従って、図１の実施の形態中に示されているように、貯蔵容器１０は、２つの略平坦な端部パネル５０と、２つの略平坦なガセットな側部パネル（gusseted side panel)60と、略平坦な底パネル７０とを備えており、これらのパネルは、フランジ２５の上部により確定された開口を有している半囲い容器（semi-enclosed container）を形成している。端部パネル５０は、側部縁５５と、底部縁５４とを含んでいると同時に、側部パネル６０は、底部縁６４と、一点に収束しているベース折り目（crease）６２を有している略従来のデザインのガセットと、中央折り目６１と、側部折り目６３とを含んでいる。前記折り目は、材料中に薄い領域を成形（molding）、刻み込み、若しくは他の適した方法によって、弱化線として材料中に好ましくは形成される。図１中に示されている構成において、貯蔵容器は、自立し開いた状態である。フランジ２５は、好ましくは十分な弾性であり、図１に示されているように開いた状態において、容器の開放端の保持を援助するために堅い。本発明の拡張された自立能力を提供するために、図２に示されるように、参照符号５０で指摘されている端部パネルはまた、端部パネル５０の中央部５１に、一方の縁部に沿って蝶番的に取り付けられている実質的に対称の対の支持フラップ５２を含んでいる。これらの支持フラップは、容器の他の側部並びに縁をより明確に示すために、明確の重要性において、図１中から削除されている。中央部５１は、現在好まれているように、支持フラップ５２を含んでいる別々のレイヤー若しくは材料の部材を具備することが出来、容器の本体２０に接合されているか、又は容器本体２０の壁を形成するように端部パネル５０と一体的に形成され、他の側部と接合され得る。別々の材料の部材の使用は、拡張された安定性と同様に、ラベル領域並びに熱防護のような他の特徴のために、支持フラップ並びに中央部のためのコート紙のような、多様なより堅い材料を使用する機械を提供する。支持フラップ５２は、現在好まれているように、中央部５１と同様に一体的に構成され得るし、又は前記中央部に蝶番的に接続されている分離した部材を備い得る。支持フラップ５２が、これらの配置された位置にあるとき、これらは、端部パネル５０の中央部５１の面に対して実質的に垂直な面に形成され、そして、容器本体２０の角に沿って交差する線を形成する。 この配向において、支持フラップ５２は、端部パネル５０を補強するように、上部縁で、フランジ２５とかみ合い、そして、容器を��壊に導くことが出来るような内方若しくは外方への回転から、保護する。中央部５１並びに支持フラップ５１を備えている各端部パネル５０は、これらのかみ合わされた位置において、拡大された安定性を提供するように、実質的に断面Ｕ字形状を備えている構造を形成する。前記支持フラップはまた、種々の部材を展開するための蝶番として、容器の組み立てにおいて、助けになる。
【００１２】
図１及び２の貯蔵容器の底面図である図３は、中央部５１と支持フラップ５２とに対する端部パネル５０の関係を示している。 図３はまた、本発明のもう１つの特徴、即ち、図２並びに３に示されている安定即ちかみ合った位置に、支持フラップ５２を維持するように移動止め（detents）として役に立つロックタブ５９、を示している。ロックタブ５９は好ましくは、不支持配向（non-supporting orientation）の内方若しくは外方に偶然に折り曲げられることから支持フラップ５２を保護する限りは、容器本体２０のフランジ２５から十分な長さであるとともに、以下で説明されるように、容器を折り曲げる即ち折り畳むことが望まれるとき、消費者により克服できないようなことの無い長さで下方へ延びている。ロックタブ５９は、前記容器と一体的に形成され得るし、又は、適した手段により容器に接合される別々の部材を備えることも可能であり、そして、所望のように、単一若しくは多様に並んだ部材が提供され得る。さらに、リブ（ｒｉｂ）あるいはフランジの下方に延びる縁のような、他の特徴部または、この機能性を提供し得る。
【００１３】
図１に関している上述の貯蔵容器は、柔軟な貯蔵バックに対して多くの利点を提供しており、そして、貯蔵容器は、一般的に利用可能であるとともに、より容易な使用のための手動支持をなしに、製品出し入れ、並びに製品詰め込みを容易にする自立構成を容器に実装可能にすることはまた、追加の特徴を含む。
【００１４】
ここで使用した用語「柔軟である（flexible）」は、外力が適用された際に、従順であるとともに、曲げられることができるような、特に繰り返して、収縮若しくは撓むことが可能である材料を指摘するために使用されている。したがって、「柔軟である」は、用語、剛直な（inflexible)、堅い（rigid)、若しくは曲げることが出来ない（unyielding）に対して実質的に反対の意味である。従って、柔軟な材料と構造は、外力を受け入れるとともに、完全性を失うこと無しに、これらを接触するように物品の形状に従わせるように、形状並びに構造において、変化させ得る。
【００１５】
ここで使用されている用語、「自立（self-supporting）」は、重力の方向に平行な面において、配向を維持し得る材料、構造、又は容器を指摘するために使用されている。例えば、自立材料、特にシート材料、は、重力方向に平行に上方へ延びるように、保持されることが出来、そして、倒れるように折り曲がる（folding over）若しくは崩壊することなしに、配向を維持し得る。非自立材料は、典型的に、倒れるように折れ曲がり、若しくは崩壊し、支持位置から下方に延びるように保持され無い限り、重力方向（言い換えると垂直（vertically））に平行に保持されることが可能でない。相応して、自立バッグ若しくは容器は、自身の上に倒れるように折り曲がる、若しくは崩壊することなしに、支持の基部から重力方向への上方に向かって延びている表面と一致する配向を維持可能である。
【００１６】
自立していることに加えて、本発明のガセットがつけられた保持容器（gusseted storage container）１０はまた、最小のスペースを占有する容易な貯蔵を提供するように、容易に折り曲げ即ち折り畳みが可能である。図７は、折り曲げるための準備において、横に位置された図１中に示されているガセットがつけられた貯蔵容器１０を示している。図８は、図１中に示されているが、部分的に折り曲げ即ち折り畳まれている状態においてのガセットがつけられた貯蔵容器を示している。容器を折り畳むように内方へ端部容器を折り曲げるために、言い換えると、図７の状態から図８の状態に移動するために、支持フラップ５２は、ロックタブ５９から外されなければならない、そして、中央部５１に対してもう実質的に垂直ではないが、代わりに中央部５１に対して実質的に平面になるように、展開される。従って、中央折り目６１は、互いに内方に向かって押されており、底縁６４を、フランジ２５に向かうとともにフランジ２５と概ね平行に導く。図９は、底７０がフランジ２５に実質的に平行で近接するように接近するとともに、端部パネルが互いに内方に完全に折り曲げられるまで、折り曲げが続く、より完全に折り曲げられた状態のガセットがつけられた貯蔵容器を示している。もし望ましいなら、 中央折り目６１は、外方に折り曲げられ、これらが押された時に容器を組み立てるための助けのさらなる特徴を提供する。さらに、実質的に矩形、平面な底パネル７０に追加の完全性並びに安定性を更に追加する選択的強化パネル７２は、図７中に示されている。容器本体の折り曲げ能力に否定的な強い影響を与えるのを避けるために、補強底パネル７２は好ましくは、図７乃至９に示されている折り曲げるための横折り目６３に実質的に整列された折り目を含んでいるか、又は図中の溝６３の間に配置される。
【００１７】
底パネルへのさらなる補強材の追加は、詰め込みの前並びに間の増大された安定性のために、空の容器の重心を下げ、最も空並びに満たされた際のさらなる安定性の追加のための容器の底の剛性を増大させ、そして、より重い内容物で満たされたとき、容器の底の撓みの程度を減少する。前記補強パネルは、容器本体の材料と同様な材料にされ得るし、耐久性の大きい若しくは小さい異なる材料にし得るし、そして、粘着剤の塗布若しくは他の適した方法により底パネルに固定される。補強パネルが、容器の捕捉部、並びに清掃の困難さを生む原因を提供する可能性のある容器の内部にさらなる表面、接合部、割れ目を追加することなしに支持並びに補強を提供するために、内表面よりむしろ、底パネルの外表面上に配置されて使用されることが、好ましい。
【００１８】
容器本体を形成するために使用された柔軟なシート材料は、図１中の開いた状態と、図９中の閉じた状態との間に、容器本体の折り曲げ即ち折り畳みを可能にするように、実質的に柔軟で曲げることが出来、特に、側部パネル６０は、底パネル７０が蓋４０に向かって移動するように、端部パネル５０が互いに内方に向かって旋回するように折り曲げる若しくは自身にひだをつけるように、十分に柔軟である。
【００１９】
本発明の貯蔵容器を構成するために適した種々の合成物は、実質的に以下のような適した材料を含んでおり、この材料は、天然において広く使用されている２次元であろうと、３次元構造に形成されていようが、ポリ塩化ビニル（ PVC ）、ポリ塩化ビニリデン（ PVDC ）、ポリエチレン（ PE ）、ポリプロピレン（ PP ）、アルミホイル、被覆された（ワックス等で被覆された）並びに被覆されていない紙、及び、被覆された不織り布などの不透過の材料と、スクリム（scrims),メッシュ、織り布、不織り布、又は、孔のあけられた若しくは多孔性フィルムのような実質的に透過性の材料とである。このような材料は、単一の合成物、若しくはレイヤーにされ得るし、物質（substance）のための担体（carrier)として利用される基質材料（substrate material）を含んでいる多数の材料の合成物構造にされ得る。本発明に従って使用するための適していると知られている材料は、１０ミル（mil）の厚さ、製造者呼称（manufacturers designation）ＰＥＩ122で、シェブロン（Chevron）から、商業的に入手可能な低い密度のポリエチレンフィルムを含んでいる。前記タブとスライダーの走査との間の衝突を避けるために、前記タブは、フランジの外縁以上に飛び出た孤立した突起部を取り外した結果の除去部分により、フランジ並びに蓋の材料からこのましくは、形成される。図面に示されているように、フランジのためのシヌソイド（sinusoidal）の縁、及び蓋のための位相（phase-shift）シヌソイド（sinusoidal）の縁は、満足されると証明されている。
【００２０】
図４は、本発明に従った、機械的滑り部材、即ちスライダー３６の好ましい実施の形態の斜視図である。図４中、並びにより顕著に図５中に示されているように、スライダー３６は、ビード３２並びにグルーブ３４上に横たわるような関係において、スライダーの端部が、フランジ２５並びに蓋４０の周縁部を越えて内方に延び得るように、概ねＣ字形状の構成を有している。ビード並びにグルーブ上に横たわるスライダー３６の部分は、ビード並びに溝が分離されている周囲の領域に渡って、並進方向に引っ張られるときに、連結するようなかみ合わせにおいて、ビード並びに溝を押しつけるよう十分に小さい、これらの間の間隔を有している。
【００２１】
前記ビード並びに溝は好ましくは、内方への適当な広さを有しているスライダーが、ギャップを離す、又はビード並びに溝の対の部分を開放することなく、容器の周縁の周りで引っ張られ得るように、蓋並びにフランジの周縁から内方に、実質的に一定の距離で、間隔があけられている。さらに、本発明の閉鎖機構は、円形、卵形（oval）、楕円（elliptical）、若しくは他の曲線を備えている断面形状有している容器が使用され得るが、本発明の閉鎖機構は、フランジ並びに蓋、同様に、ビード並びに溝、の角が、角の半径が方向転換するのにスライダーのために必要な最小値を超えるように、角の適した半径にされている限りは、図１及び図２中に示されているように、矩形並びに正方形のような、多角形の断面形状の容器が使用され得る。
【００２２】
さらに、本発明は、単一のビード並びに溝の対を有している容器の環境において、図示し、説明されているが、他の配置では、連続した密閉を形成するように並んだ、又は、容器の別々の接続されていない領域を占拠する、１つ又はそれ以上の釣り合ったビード並びに溝の対が使用し得る。
【００２３】
本発明に従った閉鎖手段として使用される材料は、一体的に形成されて、自身の材料の部品から容器の組み立て前、中、及び後のいずれかにおいて、貯蔵容器の本体の部分として組み立てられ得る。代わりに、このような閉鎖手段はまた、別々に形成されて、容器の組み立て前、中、及び後のいずれかにおいて、貯蔵容器本体に接合され得る。閉鎖手段のために使用されている前記材料は、特徴（dimensions)又は構成のいずれかが容器本体を形成するのに使用された材料と、同一又は異なり得る。前記閉鎖手段はまた、スライダーが使用されるときにおいて、聴覚若しくは触覚の信号を提供するための構造（texture）、又は、かみ合わせたとき（商業的に入手可能な柔軟なバッグと同様に）異なる色表示を与えるビード並びに溝上の異なる色、のようなさらなる特徴を含み得る。
【００２４】
本発明に従って、閉鎖手段３０は、使用者に、貯蔵容器の開口を閉じて、密閉するための容易な操作の閉鎖手段（easy-to-operate closure means）を提供する。閉鎖手段３０は、要求された器用さが単に、一対の対向する指（digits）で、スライダーを掴む即ち締め付け、ビード並びに溝の固いかみ合わせを提供するように蓋の開いた部分の範囲に渡ってスライダーを移動し、この結果、半囲い容器から完全に閉じた容器に貯蔵容器を切り替えることであるように、操作が容易である。図１中の貯蔵容器を開くために、使用者は、１対の開放タブ３５を掴み、反対方向に引く、そして対向するフランジ３１に徐々に分離力（separation）が伝わり、結果として閉鎖手段３０に伝わる。
【００２５】
このような、容器本体を形成するように折り曲げられ、密閉されたシート材料の使用の他に、容器本体は、公知であるとともに、商業的に入手可能なこのような容器を製造するための当該技術分野で公知のような適した方法で組み立てられ得る。熱あるいは接着シール技術は、容器の種々の部品若しくは部材を自身若しくは互いに接合するために、使用され得る。さらに、容器本体は、ウェブ若しくはシート材料から容器本体を組み立てるための折り曲げ並びに固定技術に頼るよりむしろ、開始時のブランク若しくはシート材料から、熱成形、ブロー成形（blown）、又は他の成形をされ得る。
【００２６】
本発明の特定の実施の形態が、図示され説明されているが、これは、種々の他の変形並びに変更が、本発明の精神並びに範囲から逸脱することなくなされ得ることは、当業者には明白であろう。従って、本発明の範囲内のこのような全ての変形並びに変更が、添付の請求の範囲でカバーされていることが意図されている。
【００２７】
本明細書が、本発明を指摘し、明確に指摘している請求の範囲によって締めくくられているが、本発明は、同一の参照符号が同様な部材を識別している添付の図面に関連した以下の説明からよりよく理解されるであろうことが、信じられる。
【図面の簡単な説明】
【図１】  図１は、閉じられた状態においての本発明に従った貯蔵容器の斜視図である。
【図２】  図２は、開いている状態で、部分的に固体のオブジェクトが詰め込まれている図１の貯蔵容器の斜視図である。
【図３】  図３は、図１と同様な貯蔵容器の底面図である。
【図４】  図４は、本発明に従った使用に適した代表的なスライダー部材の斜視図である。
【図５】  図５は図４のスライダー部材の上面図である。
【図６】  図６は、図５の切断線６-６に沿った縦断面図である。
【図７】  図７は、折り曲げの準備に向けて、水平位置の図１の貯蔵容器の斜視図である。
【図８】  図８は、部分的に折り曲げられ、折り畳まれた状態の図１の貯蔵容器の斜視図である。
【図９】  図９は、完全に折り曲げられ、折り畳まれた状態の図１の貯蔵容器の斜視図である。
【図１】
0004526711.tif 000002
【図２】
0004526711.tif 000003
【図３】
0004526711.tif 000004
【図４】
0004526711.tif 000005
【図５】
0004526711.tif 000006
【図６】
0004526711.tif 000007
【図７】
0004526711.tif 000008
【図８】
0004526711.tif 000009
【図９】
0004526711.tif 000010